(57)【要約】【課題】フレームに特別の剛性を持たせる必要がなく、背面保護板と背面表示器との位置決めが容易で、修理が容易な、折畳み式携帯電話を提供する。【解決手段】背面表示部２２は、背面保護板６１と、背面表示器６２と、背面防塵クッション６３と、ＬＥＤ付き背面導光板６４と、背面反射板６５とから構成されている。リアカバー２４には背面表示部２２を収納するための段差を中間に有する凹部２５が設けられており、凹部２５の上面に背面保護板６１が固定されている。背面表示器６２と背面導光板６４との間、背面導光板６４と背面反射板６５との間は周辺部が両面テープで固定されており、背面反射板６５の周辺部が両面テ−プ６８で凹部２５の底面に固定され、背面表示器６２の表面の周辺が背面防塵クッション６３を介してリアカバー２４の表面に固定されている背面保護板６１の裏面に当接している。【選択図】　　　図３
2004112659.tif 000002
【特許請求の範囲】
【請求項１】
折畳み時に背面表示部が外部から確認できるように正面表示部と前記背面表示部とが上本体の両面に設けられている折畳み携帯電話において、
前記背面表示部が設けられている前記上本体のケース面に、前記背面表示部が収納される少なくとも側壁を有する凹部が設けられていることを特徴とする折畳み式携帯電話。
【請求項２】
前記凹部は側壁と底面とを有する箱型の形状であり、前記背面表示部が内部に格納されて固定されている、請求項１に記載の折畳み式携帯電話。
【請求項３】
前記上本体は、前記正面表示部と、前記背面表示部と、前記正面表示部側のフロントケースと、前記背面表示部側のケースであるリアカバーと、前記フロントケースと前記リアカバーとで形成される筐体内にあって前記正面表示部の主要部分を保持するフレームと、プリント配線基板とを備えており、
前記背面表示部は、背面保護板と、背面表示器と、背面防塵クッションと、ＬＥＤ付き背面導光板と、背面反射板とから構成されており、前記リアカバーには前記背面表示部を収納するための前記凹部が設けられており、前記凹部の上面には前記背面保護板が固定されており、前記背面表示器と前記背面導光板との間および前記背面導光板と前記背面反射板との間はそれぞれ周辺部で接着固定されており、前記背面反射板の周辺部が前記リアカバーの凹部の底面に固定され、前記背面表示器の表面の周辺が前記リアカバーに固定された前記背面保護板の裏面に前記背面防塵クッションを介して当接している、請求項２に記載の折畳み式携帯電話。
【請求項４】
前記凹部の側面には孔が設けられており、前記背面表示器および前記ＬＥＤ付き背面導光板に接続されたフレキシブル基板が前記孔を通過して前記リアカバー内に延びており、前記フレキシブル基板の前記リアカバー内の先端の片面には端子が露出しており、他の片面は前記リアカバーの内側に固定されており、前記フレームに取付けられている前記プリント配線基板の前記フレキシブル基板の端子が露出している場所に対応する位置にはプローブ端子が設けられていて、該プローブ端子を介して前記フレキシブル基板と前記プリント配線基板とが電気的に接続されている、請求項２または請求項３に記載の折畳み式携帯電話。
【請求項５】
前記凹部は底面が開放された側壁を有する箱型の形状であり、前記背面表示部が内部に格納された背面表示器ケースが前記凹部に固定されている、請求項１に記載の折畳み式携帯電話。
【請求項６】
前記上本体は、前記正面表示部と、前記背面表示部と、前記正面表示部側のフロントケースと、前記背面表示部側のケースであるリアカバーと、前記フロントケースと前記リアカバーとで形成される筐体内にあって前記正面表示部の主要部分を保持するフレームと、前記フロントケースと前記リアカバーとで形成される筐体内にあって前記背面表示部の主要部分を保持する背面表示器ケースと、プリント配線基板とを備えており、
前記背面表示部は、背面保護板と、背面表示器と、背面防塵クッションと、ＬＥＤ付き背面導光板と、背面反射板とから構成されており、
前記背面保護板以外の背面表示部を格納するための前記背面表示器ケースは、上面が開放された箱型の形状となっており、外部の中間には前記リアカバーに設けられた突起部と係合するための切込み部が設けられ、
前記リアカバーには前記背面表示器ケースを収納するための底部が開放された凹部が設けられており、該凹部の下端には前記背面表示器ケースの前記切込み部と係合するための前記突起部が設けられ、前記凹部の上面に前記背面保護板が固定されており、
前記背面表示器と前記背面導光板との間および前記背面導光板と前記背面反射板との間はそれぞれ周辺部で接着固定されており、前記背面反射板の周辺部が前記背面表示器ケースの底面に固定され、前記背面表示器の表面の周辺と前記背面表示器ケースの上面とが前記リアカバーに固定された前記背面保護板の裏面に前記背面防塵クッションを介して当接している、請求項５に記載の折畳み式携帯電話。
【請求項７】
前記凹部の側面ならびに前記背面表示器ケースには孔が設けられており、前記背面表示器およびＬＥＤ付き背面導光板に接続されたフレキシブル基板が前記孔を通過して前記リアカバー内に延びており、前記フレキシブル基板の前記リアカバー内の先端の片面には端子が露出しており、他の片面は前記リアカバーの内側に固定されており、前記フレームに取付けられている前記プリント配線基板の前記フレキシブル基板の端子が露出している場所に対応する位置にはプローブ端子が設けられていて、該プローブ端子を介して前記フレキシブル基板と前記プリント配線基板とが電気的に接続されている、請求項５または請求項６に記載の折畳み式携帯電話。
【発明の詳細な説明】
【０００１】
【発明の属する技術分野】
本発明は折畳み式携帯電話に関し、特に正面表示部と背面表示部とを有する折畳み式携帯電話に関する。
【０００２】
【従来の技術】
近年、携帯電話は音声通信のみならず文字表示から画面表示を行えるものまでその種類が増加し、文字や画像までの各種情報を表示するために、大きな表示器を備えるものが主流となっている。その中でも、折り畳み型の装置は携帯性を有しながら大きな画面の表示ができる表示器を備えることが可能であることから、携帯電話の市場で主流となっている。ところが、折り畳み型の携帯電話は畳んだ状態では表示器が見えないため、ちょっとした表示確認でも装置を開く必要があり、ユーザーに多少の不便さを感じさせていた。この問題を解決するため、最近では、大きな表示器（以下正面表示器と称す）の反対側の面に小さな表示器（以下背面表示器と称す）を設け、畳んだ状態でも最小限の情報を表示できる装置が市場に登場している。
【０００３】
正面表示器と背面表示器とを備えた従来の携帯電話は、図５に示す構造となっている。図５は正面表示器と背面表示器とを備えた従来の携帯電話の上本体の幅方向の断面図である。
【０００４】
携帯電話の上本体５０２は、正面表示部５２１と、背面表示部５２２と、正面表示部５２１側のフロントケース５２３と、背面表示部５２２側のリアカバー５２４と、フロントケース５２３とリアカバー５２４とで形成される筐体内にあって正面表示部５２１と背面表示部５２２との主要部分を保持するフレーム５０５と、プリント配線基板５０７とを備えている。
【０００５】
フレーム５０５は片面（Ａ面）に正面保護板５４１以外の正面表示部５２１を格納するための凹部が設けられており、反対面（Ｂ面）には背面保護板５６１以外の背面表示部５２２を格納するための凹部が設けられた突起部が形成されており、突起部の周辺のＢ面にはプリント配線基板５０７が配置されている。
【０００６】
正面表示部５２１と背面表示部５２２との収容部を内蔵したフレーム５０５が、正面保護板５４１が窓部に取付けられたフロントケース５２３と背面保護板５６１が窓部に取付けられたリアカバー５２４とで形成される筐体の中に固定されている構造となっている。
【０００７】
ここで、正面表示部５２１は、正面保護板５４１と、正面表示器５４２と、正面防塵クッション５４３と、正面導光板５４４と、正面反射板５４５と、第１の両面テープ５４６と、第２の両面テープ５４７と、第３の両面テープ５４８とから構成されている。フロントケース５２３には開口部が設けられ、開口部に正面保護板５４１が固定されている。正面表示器５４２と正面導光板５４４との間は周辺部が第１の両面テープ５４６で固定され、正面導光板５４４と正面反射板５４５との間は周辺部が第２の両面テープ５４７で固定されており、正面反射板５４５の周辺部が第３の両面テ−プ５４８でフレーム５０５のＡ面の凹部の底面に固定され、正面表示器５４２の背面の第１の両面テープ５４６の一部でフレーム５０５のＡ面の凹部の段差部に固定されており、正面表示器５４２の表面のレベルとフレーム５０５のＡ面の頂面のレベルとはほぼ一致しており、フロントケース５２３の開口部周辺に正面防塵クッション５４３を介して保持されている。
【０００８】
背面表示部５２２は、背面保護板５６１と、背面表示器５６２と、背面防塵クッション５６３と、背面導光板５６４と、背面反射板５６５と、第４の両面テープ５６６と、第５の両面テープ５６７と、第６の両面テープ５６８とから構成されている。リアカバー５２４には開口部が設けられ、開口部に背面保護板５６１が固定されている。背面表示器５６２と背面導光板５６４との間は周辺部が第４の両面テープ５６６で固定され、背面導光板５６４と背面反射板５６５との間は周辺部が第５の両面テープ５６７で固定されており、背面反射板５６５の周辺部が第６の両面テ−プ５６８でフレーム５０５のＢ面の突起部の凹部の底面に固定され、背面表示器５６２の背面の第４の両面テープ５６６の一部でフレームのＢ面の突起部の凹部の段差部に固定されており、背面表示器５６２の表面のレベルとフレーム５０５のＢ面の突起部の頂面のレベルとはほぼ一致しており、リアカバー５２４の開口部周辺に背面防塵クッション５６３を介して保持されている。
【０００９】
【特許文献１】
特開２０００−１９４２６９号公報
【特許文献２】
特開平１０−１７８４７２号公報
【００１０】
【発明が解決しようとする課題】
しかしながら、正面表示器と背面表示器とを備えた従来の携帯電話のこのような構造では次のような３つの問題点がある。即ち、
１）折畳み式の携帯電話は折畳んだ状態で、かばんやポケットに収納されたりあるいはそのまま放置されたりするので、外力を受ける機会が多く、特に外部に露出している背面保護板５６１側のリアカバー５２４は開口部を有するだけに剛性が低く、外力を受けた場合に内部に向けて押圧される。リアカバー５２４へ外圧が加わった場合、フレーム５０５が変形し正面表示部５２１へ直接力と変形が伝わってしまうので、力の伝達の影響を抑えるためにはフレーム５０５に高い剛性を持たせることが必要となり、フレーム５０５自体の板厚を厚くする必要があり、携帯電話のサイズと重量とを増大させる要因となる。
【００１１】
２）正面表示器５４２側のフロントケース５２３に対してフレーム５０５が位置決めされている場合、フロントケース５２３とリアカバー５２４の組立てにおいて、リアカバー５２４に固定された背面保護板５６１の印刷窓とフレーム５０５を介してフロントケース５２３に固定されている背面表示器５６２の表示との相対位置にバラツキが生じやすい。
【００１２】
３）組立工程において、背面保護板５６１は他の組立工程が済んだ後にリアカバー５２４に貼り付けられるため、貼り付けた後に背面表示部５２２の内部にゴミ等の異物が発見された場合、背面表示器５６２側のリアカバー５２４をフロントケース５２３から取り外す必要があり、修理が大がかりとなってしまう。
【００１３】
本発明の目的は、フレームに特別の剛性を持たせる必要がなく、背面保護板と背面表示器との位置決めが容易で、修理が容易な、正面表示部と背面表示部を有する折畳み式携帯電話を提供することにある。
【００１４】
【課題を解決するための手段】
本発明の折畳み式携帯電話は、
折畳み時に背面表示部が外部から確認できるように正面表示部と背面表示部とが上本体の両面に設けられている折畳み携帯電話において、背面表示部が設けられている上本体のケース面に、背面表示部が収納される少なくとも側壁を有する凹部が設けられていることを特徴とする。
【００１５】
凹部は側壁と底面とを有する箱型の形状であり、背面表示部が内部に格納されて固定されていてもよく、上本体は、正面表示部と、背面表示部と、正面表示部側のフロントケースと、背面表示部側のケースであるリアカバーと、フロントケースとリアカバーとで形成される筐体内にあって正面表示部の主要部分を保持するフレームと、プリント配線基板とを備えており、背面表示部は、背面保護板と、背面表示器と、背面防塵クッションと、ＬＥＤ付き背面導光板と、背面反射板とから構成されており、リアカバーには背面表示部を収納するための凹部が設けられており、凹部の上面には背面保護板が固定されており、背面表示器と背面導光板との間および背面導光板と背面反射板との間はそれぞれ周辺部で接着固定されており、背面反射板の周辺部がリアカバーの凹部の底面に固定され、背面表示器の表面の周辺がリアカバーに固定された背面保護板の裏面に背面防塵クッションを介して当接していてもよく、凹部の側面には孔が設けられており、背面表示器およびＬＥＤ付き背面導光板に接続されたフレキシブル基板が孔を通過してリアカバー内に延びており、フレキシブル基板のリアカバー内の先端の片面には端子が露出しており、他の片面はリアカバーの内側に固定されており、フレームに取付けられているプリント配線基板のフレキシブル基板の端子が露出している場所に対応する位置にはプローブ端子が設けられていて、そのプローブ端子を介してフレキシブル基板とプリント配線基板とが電気的に接続されていてもよい。
【００１６】
また、凹部は底面が開放された側壁を有する箱型の形状であり、背面表示部が内部に格納された背面表示器ケースが凹部に固定されていてもよく、上本体は、正面表示部と、背面表示部と、正面表示部側のフロントケースと、背面表示部側のケースであるリアカバーと、フロントケースとリアカバーとで形成される筐体内にあって正面表示部の主要部分を保持するフレームと、フロントケースとリアカバーとで形成される筐体内にあって背面表示部の主要部分を保持する背面表示器ケースと、プリント配線基板とを備えており、背面表示部は、背面保護板と、背面表示器と、背面防塵クッションと、ＬＥＤ付き背面導光板と、背面反射板とから構成されており、背面保護板以外の背面表示部を格納するための背面表示器ケースは、上面が開放された箱型の形状となっており、外部の中間にはリアカバーに設けられた突起部と係合するための切込み部が設けられ、リアカバーには背面表示器ケースを収納するための底部が開放された凹部が設けられており、その凹部の下端には背面表示器ケースの切込み部と係合するための突起部が設けられ、凹部の上面に背面保護板が固定されており、背面表示器と背面導光板との間および背面導光板と背面反射板との間はそれぞれ周辺部で接着固定されており、背面反射板の周辺部が背面表示器ケースの底面に固定され、背面表示器の表面の周辺と背面表示器ケースの上面とがリアカバーに固定された背面保護板の裏面に背面防塵クッションを介して当接していてもよく、凹部の側面ならびに背面表示器ケースには孔が設けられており、背面表示器およびＬＥＤ付き背面導光板に接続されたフレキシブル基板が孔を通過してリアカバー内に延びており、フレキシブル基板のリアカバー内の先端の片面には端子が露出しており、他の片面はリアカバーの内側に固定されており、フレームに取付けられているプリント配線基板のフレキシブル基板の端子が露出している場所に対応する位置にはプローブ端子が設けられていて、そのプローブ端子を介してフレキシブル基板とプリント配線基板とが電気的に接続されていてもよい。
【００１７】
【発明の実施の形態】
次に、本発明の実施の形態の正面表示部と背面表示部とを有する折畳み式携帯電話について図面を参照して説明する。図１は本発明の第１の実施の形態の正面表示部と背面表示部を有する折畳み式携帯電話の上本体と下本体とを開いた状態の斜視図であり、図２は図１の携帯電話の上本体と下本体とを閉じた状態の斜視図であり、図３は図２の切断線Ａ−Ａによる上本体の断面図である。
【００１８】
図１、図２に示す本発明の第１の実施の形態の正面表示部２１と背面表示部２２とを有する折畳み式携帯電話では、下本体１と上本体２とがヒンジ３を介して回転可能に結合されており、下本体１にはキーボタン１１が設けられている。また、上本体２には両面にそれぞれ正面表示部２１と背面表示部２２とが設けられており、折畳み時には正面表示部２１とキーボタン１１とが当接する関係となり、背面表示部２２が外部から観察可能となる。
【００１９】
携帯電話の上本体２は、正面表示部２１と、背面表示部２２と、正面表示部２１側のフロントケース２３と、背面表示部２２側のリアカバー２４と、フロントケース２３とリアカバー２４とで形成される筐体内にあって正面表示部２１の主要部分を保持するフレーム５と、プリント配線基板７とを備えている。
【００２０】
フレーム５の片面（Ａ面）には正面表示部２１の主要部を格納するための中間に段差を有する凹部が設けられており、反対面（Ｂ面）にはプリント配線基板７が配置される。
【００２１】
正面表示部２１は、正面保護板４１と、正面表示器４２と、正面防塵クッション４３と、正面導光板４４と、正面反射板４５と、第１の両面テープ４６と、第２の両面テープ４７と、第３の両面テープ４８とから構成されている。フロントケース２３には開口部が設けられ、開口部に正面保護板４１が固定されている。正面表示器４２と正面導光板４４との間は周辺部が第１の両面テープ４６で固定され、正面導光板４４と正面反射板４５との間は周辺部が第２の両面テープ４７で固定されており、正面反射板４５の周辺部が第３の両面テ−プ４８でフレーム５のＡ面の凹部の底面に固定され、正面表示器４２の背面の第１の両面テープ４６の一部でフレーム５のＡ面の凹部の段差部に固定されており、正面表示器４２の表面のレベルとフレーム５のＡ面の頂面のレベルとはほぼ一致しており、フロントケース２３の開口部周辺に正面防塵クッション４３を介して保持されている。このように正面保護板４１以外の正面表示部２１はフレーム５に格納され、フレーム５はフロントケース２３内に位置決めされている。
【００２２】
背面表示部２２は、背面保護板６１と、背面表示器６２と、背面防塵クッション６３と、ＬＥＤ付き背面導光板６４と、背面反射板６５と、第４の両面テープ６６と、第５の両面テープ６７と、第６の両面テープ６８とから構成されている。リアカバー２４には背面表示部２２を収納するための段差を中間に有する凹部２５が設けられており、凹部２５の上面に背面保護板６１が固定されている。背面表示器６２と背面導光板６４との間は周辺部が第４の両面テープ６６で固定され、背面導光板６４と背面反射板６５との間は周辺部が第５の両面テープ６７で固定されており、背面反射板６５の周辺部が第６の両面テ−プ６８でリアカバー２４の凹部２５の底面に固定され、背面表示器６２の背面の第４の両面テープ６６の一部で凹部２５の段差部に固定されており、背面表示器６２の表面の周辺が背面防塵クッション６３を介して背面保護板６１の裏面に当接し、背面保護板６１がリアカバー２４の表面に固定されている。凹部２５には側面に孔２６が設けられており、背面表示器６２およびＬＥＤ付き背面導光板６４に接続されたフレキシブル基板６９が孔２６を通過してリアカバー２４内に延びている。フレキシブル基板６９のリアカバー２４内部側の先端の片面には端子が露出しており、他の片面はリアカバー２４の内側に第７の両面テープ２７で固定されている。フレーム５のＢ面に取付けられているプリント配線基板７のフレキシブル基板６９の端子が露出している場所に対応する位置にはプローブ端子７１が設けられており、プローブ端子７１を介してフレキシブル基板６９とプリント配線基板７とは電気的に接続されている。
【００２３】
先に説明した従来の構造の場合は、背面保護板５６１を有するリアカバー５２４側へ外圧が加わった場合、リアカバー５２４の上面が開口部を有する平板構造であったため、リアカバー５２４側に加わる力によってリアカバー５２４の上面が変形し、開口部周辺の変位が直接フレーム５０５に伝わり、フレーム５０５の変形によって正面表示部５２１に影響を与えていたが、第１の実施の形態では、底面を有する凹部２５がリアカバー２４の上面に設けられているのでリアカバー２４の剛性が高く、背面保護板６１を有するリアカバー２４側に力が加わってもフレーム５やフレーム５に内蔵された正面表示器４２に影響を及ぼすことはない。
【００２４】
また、従来の構造の場合は、背面保護板５６１はリアカバー５２４に固定され、一方背面表示器５６２はフロントケース５２３に位置決めされたフレーム５０５に固定されていたので、組立工程において背面保護板５６１の印刷窓と背面表示器５６２の表示との相対位置にバラツキが生じやすかったが、第１の実施の形態では、背面保護板６１と背面表示器６２とがどちらもリアカバー２４に位置決めされるので、相対位置のバラツキは最小限で抑えることができる。
【００２５】
また、従来の構造の場合は、組立工程において、背面保護板５６１は他の組立工程が済んだ後にリアカバー５２４に貼り付けられるため、貼り付けた後にフレーム５０５に組み込まれている背面表示部５２２の内部にゴミ等の異物が発見された場合、背面表示器５６２側のリアカバー５２４をフロントケース５２３から取り外す必要があり、修理が大がかりとなったが、第１の実施の形態では、背面表示部２２が全てリアカバー２４にあらかじめ組み込まれた後でフロントケース２３と固定されるので、背面表示部２２にゴミ等の異物が混入してしまった場合においても、上本体２を組み立てる前段階で発見でき、修理に掛かる工数を少なくすることができる。
【００２６】
次に、本発明の第２の実施の形態の正面表示部と背面表示部とを有する折畳み式携帯電話について図面を参照して説明する。図４は本発明の第２の実施の形態の正面表示部と背面表示部とを有する折畳み式携帯電話の図２の切断線Ａ−Ａによる上本体の断面図である。第２の実施の形態の携帯電話の外観は第１の実施の形態と同じなので図１と図２とを参照する。
【００２７】
第２の実施の形態では背面表示部のリアカバーへの取付け方法が第１の実施の形態と異なるだけなので、異なる点について説明し、同一の部分の説明は省略する。
【００２８】
第１の実施の形態のリアカバー２４の凹部２５の底面はリアカバー２４と一体に形成されていたが、第２の実施の形態では第１の実施の形態の凹部２５の段差部より下が除去された状態で開口となっており、第１の実施の形態では直接凹部２５に格納されていた背面保護板２６以外の背面表示部２２が第２の実施の形態では背面表示器ケース１０８に格納されて、リアカバー１２４の凹部１２５に収納保持されている。
【００２９】
背面表示部１２２は、第１の実施の形態と同様に、背面保護板１６１と、背面表示器１６２と、背面防塵クッション１６３と、ＬＥＤ付き背面導光板１６４と、背面反射板１６５と、第４の両面テープ１６６と、第５の両面テープ１６７と、第６の両面テープ１６８とから構成されている。
【００３０】
背面保護板１６１以外の背面表示部１２２を格納するための背面表示器ケース１０８は、上面が開放された箱型の形状となっており、内部の中間に段差が、外部の中間にはリアカバー１２４の突起部１２８と係合するための切込み部が設けられ、リアカバー１２４のフレキシブル基板１６９を通過させるための孔１２６に対向する部分には同様な孔が設けられている。
【００３１】
リアカバー１２４には背面表示器ケース１０８を収納するための底部が開放された凹部１２５が設けられており、凹部の下端には背面表示器ケース１０８の切込み部と係合するための突起部１２８が設けられ、凹部１２５の上面に背面保護板１６１が固定されている。第１の実施の形態と同様に凹部１２５には側面に孔１２６が設けられており、また孔１２６に対応する背面表示ケース１０８の側面にも孔が設けられており、背面表示器１６２およびＬＥＤ付き背面導光板１６４に接続されたフレキシブル基板１６９がこれらの孔を通過してリアカバー１２４内に延びている。
【００３２】
背面表示器１６２と背面導光板１６４との間は周辺部が第４の両面テープ１６６で固定され、背面導光板１６４と背面反射板１６５との間は周辺部が第５の両面テープ１６７で固定されており、背面反射板１６５の周辺部が第６の両面テ−プ１６８で背面表示器ケース１０８の底面に固定され、背面表示器１６２の背面の第４の両面テープ１６６の一部で背面表示器ケース１０８の段差部に固定されており、背面表示器１６２の表面のレベルと背面表示器ケース１０８の上面のレベルとはほぼ一致しており、背面防塵クッション１６３を介して背面保護板１６１の裏面に当接し、背面保護板１６１はリアカバー１２４に固定されている。
【００３３】
第２の実施の形態においてもリアカバー１２４は凹部１２５を有することで剛性が高く、第１の実施の形態と同様に背面保護板１６１を有するリアカバー１２４側に力が加わってもフレーム１０５やフレーム１０５に内蔵された正面表示器１４２に影響を及ぼすことはなく、背面保護板１６１と背面表示器１６２がどちらもリアカバー１２４に位置決めされるので、相対位置のバラツキは最小限で抑えることができ、背面表示部１２２にゴミ等の異物が混入してしまった場合においても、上本体１０２を組み立てる前段階で発見できるため、修理に掛かる工数を少なくすることができる。さらに、背面保護板１６１以外の背面表示部１２２をあらかじめ背面表示器ケース１０８内に組み立てることができるので、組立作業が容易となる。
【００３４】
【発明の効果】
以上説明したように本発明では、次のような効果がある。即ち、
１）背面保護板を有するリアカバー側に力が加わってもフレームやフレームに内蔵された正面表示器に影響を及ぼすことはなく、特にフレームの剛性を強化する必要もない。これは、リアカバーの上面に凹部が設けられているのでリアカバーの剛性が高くなるからである。
【００３５】
２）背面保護板と背面表示器との相対位置のバラツキを最小限で抑えることができ、背面保護板の印刷窓と背面表示器の表示とを一致させやすくなる。これは、背面保護板と背面表示器とがどちらもリアカバーに位置決めされるからである。
【００３６】
３）背面表示部にゴミ等の異物が混入してしまった場合においても、修理に掛かる工数を少なくすることができる。これは、背面表示部が全てリアカバーにあらかじめ組み込まれた後でフロントケースと固定されるので、上本体を組み立てる前段階で発見できるためである。
【００３７】
４）背面表示器ケースを用いた場合には組立作業が容易となる。これは、背面保護板以外の背面表示部をあらかじめ背面表示器ケース内に組み立てることができるからである。
【図面の簡単な説明】
【図１】本発明の第１の実施の形態の正面表示部と背面表示部を有する折畳み式携帯電話の上本体と下本体とを開いた状態の斜視図である。
【図２】図１の携帯電話の上本体と下本体とを閉じた状態の斜視図である。
【図３】図２の切断線Ａ−Ａによる上本体の断面図である。
【図４】本発明の第２の実施の形態の正面表示部と背面表示部とを有する折畳み式携帯電話の図２の切断線Ａ−Ａによる上本体の断面図である。
【図５】正面表示器と背面表示器とを備えた従来の携帯電話の上本体の幅方向の断面図である。
【符号の説明】
１　　下本体
２　　上本体
３　　ヒンジ
５、１０５、５０５　　フレーム
７、１０７、５０７　　プリント配線基板
１１　　キーボタン
２１、１２１、５２１　　正面表示部
２２、１２２、５２２　　背面表示部
２３、１２３、５２３　　フロントケース
２４、１２４、５２４　　リアカバー
２５、１２５　　凹部
２６、１２６　　孔
２７、４６、４７、４８、６６、６７、６８、１２７、１４６、１４７、１４８、１６６、１６７、１６８、５４６、５４７、５４８、５６６、５６７、５６８　　両面テープ
４１、１４１、５４１　　正面表示部
４２、１４２、５４２　　正面表示器
４３、１４３、５４３　　正面防塵クッション
４４、１４４、５４４　　正面導光板
４５、１４５、５４５　　正面反射板
６１、１６１、５６１　　背面表示部
６２、１６２、５６２　　背面表示器
６３、１６３、５６３　　背面防塵クッション
６４、１６４、５６４　　ＬＥＤ付背面導光板
６５、１６５、５６５　　背面反射板
６９、１６９　　フレキシブル基板
７１、１７１　　プローブ端子
【図１】
2004112659.tif 000003
【図２】
2004112659.tif 000004
【図３】
2004112659.tif 000005
【図４】
2004112659.tif 000006
【図５】
2004112659.tif 000007